(57)【要約】【課題】可燃性冷媒を用いた冷蔵庫の冷媒漏れ検知に関し、低コストで冷媒漏れを検知でき、サービス性もよく、誤動作によりお客様に迷惑をかけない、信頼性の高い冷蔵庫を提供することを目的とする。【解決手段】冷凍サイクルに可燃性冷媒を封入する冷蔵庫において、圧縮機１に通電される電流値を検知する電流値検知手段２０と電流値がある所定の値を超えたことを検知した場合に圧縮機１を停止させる圧縮機保護制御手段２１と圧縮機１の運転状態を検知する圧縮機運転検知手段２２を備え、圧縮機１への過電流印加による保護停止と停止解除後の運転を所定の回数繰り返した場合に、低圧配管側からの冷媒漏れを検知することにより、冷凍サイクルの低圧配管側からの冷媒漏れを正しく、すばやく判断することができる。【選択図】　図１
2004125215.tif 000002
【特許請求の範囲】
【請求項１】
圧縮機、凝縮器、減圧装置、蒸発器を順次接続してなる冷凍サイクルを有し、前記冷凍サイクルに可燃性冷媒を封入する冷蔵庫において、前記圧縮機に通電される電流値を検知する電流値検知手段と前記電流値検知手段がある所定の電流値を超えたことを検知した場合に前記圧縮機を停止させる圧縮機保護制御手段と前記圧縮機の運転状態を検知する圧縮機運転検知手段を備え、前記圧縮機への過電流印加による保護停止と停止解除後の運転を所定の回数繰り返した場合に、前記冷凍サイクルの冷媒漏れと判断する制御手段を有することを特徴とする冷蔵庫。
【請求項２】
圧縮機、凝縮器、減圧装置、蒸発器を順次接続してなる冷凍サイクルを有し、前記冷凍サイクルに可燃性冷媒を封入する冷蔵庫において、冷蔵庫の貯蔵室内温度を検知する庫内温度センサと蒸発器の温度を検知する蒸発器温度センサとを備え、前記庫内温度センサと前記蒸発器温度センサの検知した温度が所定の温度より高く、圧縮機運転検知手段が所定の時間以上連続で運転することを所定の回数繰り返した場合に、前記冷凍サイクルの冷媒漏れと判断する制御手段を有することを特徴とする冷蔵庫。
【請求項３】
貯蔵室内の空気を循環させる庫内ファンと凝縮器および圧縮機を冷却する機械室ファンとを備え、冷媒漏れを検知した場合に前記庫内ファンと前記機械室ファンを連続運転させることを特徴とする請求項１または２に記載の冷蔵庫。
【請求項４】
冷媒漏れを検知した場合に圧縮機の運転を継続することを特徴とする請求項３に記載の冷蔵庫。
【請求項５】
冷凍サイクルに冷媒流路制御手段を有する冷蔵庫において、冷媒漏れを判断する制御手段が動作中に、前記冷媒流路制御手段の初期化制御を行うことを特徴とする請求項１から請求項４のいずれか一項に記載の冷蔵庫。
【請求項６】
機械室ファンおよび外気温度センサを備え、外気温が所定の温度以下の場合、前記機械室ファンを圧縮機の停止中に所定時間運転させることを特徴とする請求項１から請求項５のいずれか一項に記載の冷蔵庫。
【発明の詳細な説明】
【０００１】
【発明の属する技術分野】
本発明は、可燃性冷媒を用いた冷蔵庫の冷媒のリーク検知に関するものである。
【０００２】
【従来の技術】
近年、地球環境への意識が高まり、地球温暖化抑制のため冷蔵庫に用いられる冷媒も代替フロンから可燃性冷媒への移行が進められており、可燃性冷媒の引火・爆発を防止する手段が冷蔵庫に設けられている。（例えば、特許文献１参照）
以下、図面を参照しながら上記従来の冷蔵庫を説明する。
【０００３】
図４は、従来の冷蔵庫の冷凍サイクルの概略構成図である。可燃性冷媒は、圧縮機１により圧縮され、高温・高圧の冷媒状冷媒となる。そしてこの冷媒状冷媒が凝縮器２により放熱し、中温・高圧の液状冷媒となる。続いて、この液状冷媒は減圧装置３により減圧された後、蒸発器４内で蒸発し、低温・低圧の冷媒冷媒となる。この冷媒を圧縮機１が吸入、再度圧縮することにより冷凍サイクルが形成されている。
【０００４】
図５は、従来の冷蔵庫の基本電気回路図である。圧縮機１及び庫内ファン７は交流電源５に対して並列に接続されており、庫内温度センサ６によりＯＮ／ＯＦＦ制御されている。図５の冷凍サイクルに設置される外部センサ８から得られた信号はマイクロコンピュ−タ９（以下、マイコンと称す）に伝達され、マイコン９はこの外部センサ８からの出力値と予め設定記憶された値とから冷媒漏れの有無を判断する。マイコン９は、リレー１０をＯＦＦにして交流電源５からの供給を遮断し、システムを停止させる。
【０００５】
図６は温度センサが設置された蒸発器の斜視図である。ここでは、図６の外部センサ８の一実施例として、温度センサを用いる。図７に示すように、蒸発器４の入口パイプ１１及び出口パイプ１２に温度センサ１３、１４がそれぞれ取り付けられる。冷蔵庫が正常に運転している場合、蒸発器４の入口及び出口の温度はほぼ一致しているが、冷媒漏れが発生した場合は、冷媒が蒸発器内全体で蒸発するだけの量に足りなくなるため、蒸発器４の入口に対して出口の温度が高くなる。従って、蒸発器４の入口パイプ１１及び出口パイプ１２に温度センサ１３、１４を設置することにより、マイコンは温度センサ１３、１４から伝達される情報に基づいて、両者の温度差を監視することができ、その結果、冷媒漏れの有無を検知することができる。
【０００６】
図７は、従来の冷蔵庫の防爆装置において冷却運転開始から冷媒漏れを検知しシステムを停止する時のフローチャートである。図７において、冷却運転が開始すると、通常の冷却運転の状態か否かを判断する（Ｓ１）。Ｓ１において、除霜等の原因により、マイコンが通常の冷却運転の状態でないと判断した場合（ＮＯ）、通常の運転モードへの復帰をまつ（Ｓ２）。一方、Ｓ１において、マイコンが通常の冷却運転の状態であると判断した場合（ＹＥＳ）、次にマイコンはサーモＯＦＦ点に達したか否かを判断する（Ｓ３）。サーモＯＦＦ点に達していないと判断した場合（ＮＯ）、冷却を続ける（Ｓ４）。しかし、Ｓ３において、マイコンがサーモＯＦＦ点に達したと判断した場合（ＹＥＳ）、外気温、運転状態等を考慮して、蒸発器の入口及び出口パイプに設置された温度センサからの出力値に基づいてマイコンは冷媒漏れの有無を判断する（Ｓ５）。そして、マイコンが温度センサにより検知された入口温度と出口温度との温度差と予め設定記憶された値との大小を比較し、冷媒漏れが発生したか否かを判断する（Ｓ６）。Ｓ６において、検知された温度差が予め設定記憶された値よりも大きいとマイコンが認識し、冷媒漏れが発生したと判断した場合（ＹＥＳ）、マイコンはリレーをＯＦＦにして、電源供給を遮断し、システムを停止する（Ｓ７）。なお、マイコンが冷媒漏れの発生がないと判断した場合（ＮＯ）、Ｓ１に戻り上記フローを繰り返す。
【０００７】
【特許文献１】
特開平９−１４８１１号公報
【０００８】
【発明が解決しようとする課題】
しかしながら上記従来の冷蔵庫は、温度センサ１３、１４のように冷媒漏れの検知のための部品を専用で設ける必要があり、コストが高くなるという課題がある。また、冷媒漏れが冷媒配管の高圧側と低圧側のどちらで発生しているのかが特定できないため、修理する場合に手間がかかるとともに、修理時に事故が起こる可能性も高いという課題がある。また、マイコン９が冷媒漏れを判断した場合、リレー１０をＯＦＦにして交流電源５からの供給を遮断し、システムを停止させるので、冷媒漏れの誤検知や誤判断をした場合に、冷蔵庫が冷えなくなりお客様からのクレームになるという課題がある。
【０００９】
本発明は上記従来の課題を解決するもので、低コストで冷媒漏れを検知でき、サービス性もよく、誤動作によりお客様に迷惑をかけない、信頼性の高い冷蔵庫を提供することを目的とする。
【００１０】
【課題を解決するための手段】
本発明の請求項１に記載の冷蔵庫の発明は、圧縮機、凝縮器、減圧装置、蒸発器を順次接続してなる冷凍サイクルを有し、前記冷凍サイクルに可燃性冷媒を封入する冷蔵庫において、前記圧縮機に通電される電流値を検知する電流値検知手段と前記電流値検知手段がある所定の電流値を超えたことを検知した場合に前記圧縮機を停止させる圧縮機保護制御手段と前記圧縮機の運転状態を検知する圧縮機運転検知手段を備え、前記圧縮機への過電流印加による保護停止と停止解除後の運転を所定の回数繰り返した場合に、前記冷凍サイクルの冷媒漏れと判断する制御手段を有するものであり、冷凍サイクルの低圧配管側から冷媒漏れが発生した場合、配管の破損部より空気が吸引され高圧圧力が異常に高くなり、前記圧縮機に通電される電流値も高くなる。これを、前記電流値検知手段が検知し冷媒洩れを判断することができる。
【００１１】
請求項２に記載の発明は、圧縮機、凝縮器、減圧装置、蒸発器を順次接続してなる冷凍サイクルを有し、前記冷凍サイクルに可燃性冷媒を封入する冷蔵庫において、冷蔵庫の貯蔵室内温度を検知する庫内温度センサと蒸発器の温度を検知する蒸発器温度センサとを備え、前記庫内温度センサと前記蒸発器温度センサの検知した温度が所定の温度より高く、圧縮機運転検知手段が所定の時間以上連続で運転することを所定の回数繰り返した場合に、前記冷凍サイクルの冷媒漏れと判断する制御手段を有するものであり、冷凍サイクルの高圧配管側から冷媒漏れが発生した場合、配管の破損部より冷媒冷媒が放出され、前記冷凍サイクル内を循環する冷媒が少なくなるので、冷却器の温度が上昇し、貯蔵室内の温度も上昇する。これを前記庫内温度センサと前記蒸発器温度センサが検知する。このとき、圧縮機は貯蔵室内が所定の温度に下がらないので連続運転を続ける。これを圧縮機運転検知手段が検知することにより高圧配管側からの冷媒洩れを判断する。
【００１２】
請求項３に記載の発明は、請求項１または請求項２に記載の発明において、貯蔵室内の空気を循環させる庫内ファンと凝縮器および圧縮機を冷却する機械室ファンとを備え、冷媒漏れを検知した場合に前記庫内ファンと前記機械室ファンを連続運転させるものであり、漏れた冷媒を拡散させるという作用を有する。
【００１３】
請求項４に記載の発明は、請求項３に記載の発明において、冷媒漏れを検知した場合に圧縮機の運転を継続するものであり、万が一冷媒漏れが誤検知の場合でも冷蔵庫の冷却を維持でき、使用者に不具合が生じない。
【００１４】
請求項５に記載の発明は、請求項１から請求項４のいずれか一項に記載の発明において、冷凍サイクルに冷媒流路制御手段を有する冷蔵庫において、冷媒漏れを判断する制御手段が動作中に、前記冷媒流路制御手段の初期化制御を行うものであり、冷媒流路制御手段の動作制御の不具合による冷凍サイクル冷媒漏れ検知の誤動作を防止することができる。
【００１５】
請求項６に記載の発明は、請求項１から請求項５のいずれか一項に記載の発明において、機械室ファンおよび外気温度センサを備え、外気温が所定の温度以下の場合、前記機械室ファンを圧縮機の停止中に所定時間運転させるものであり、低外気温時、機械室近傍で冷媒漏れが発生した場合に冷媒が高濃度になることを抑制することができる。
【００１６】
【発明の実施の形態】
以下、本発明による冷蔵庫の一実施の形態について、図面を参照しながら説明する。なお、従来と同一構成には、同一符号を付して詳細な説明を省略する。
【００１７】
（実施の形態１）
図１は本発明の実施の形態１による冷蔵庫の冷媒漏れ検知のフローチャートである。
【００１８】
２０は電流検知手段であり、圧縮機１に印加される電流値を検知するものである。２１は圧縮機保護制御手段であり、電流検知手段２０が圧縮機１に印加される電流値が所定の電流値Ｉ以上であることを検知した場合に、圧縮機１を所定の時間停止させるものである。２２は圧縮機運転検知手段であり、圧縮機が運転指示制御に対して正常に起動し運転しているかどうかを検知するものである。２３はカウンタであり、圧縮機運転検知手段２２からの信号をカウントし、カウント値が所定の回数Ｙになったときに冷媒漏れ検知と判断する。
【００１９】
次に、その動作について説明する。冷凍サイクルの低圧側、たとえば蒸発器４の冷媒配管が破損した場合、低圧側の可燃性冷媒の飽和圧力は大気圧よりも低いので、冷凍サイクル内に空気が吸引される。圧縮機１は、空気を圧縮するので高圧側の圧力は異常に上昇し、高低圧の圧力差も大きくなり、圧縮機１に多大の負荷がかかり圧縮機１に流れる電流値も大きくなる。電流値が所定の値Ｉを超えたことを電流検知手段２０が検知すると、圧縮機保護制御手段２１が作動し圧縮機１を所定の時間停止させる。所定の時間が経過すると圧縮機１に再び電流が流され圧縮機１は運転を始める。このとき圧縮機運転検知手段２２が圧縮機１の運転を検知し、カウンタ２３がカウントを行う。圧縮機１が運転を続けると再び高圧圧力が上昇するとともに電流値も上昇し、電流検知手段２０が所定の値Ｉを超えたことを再び検知する。この動作を所定の回数繰り返しカウンタ２３が所定の回数Ｙをカウントすると冷媒漏れ検知と判断する。
【００２０】
以上のように本実施の形態の冷蔵庫は、圧縮機保護のために設けた電流検知手段２０および圧縮機保護制御手段２１および圧縮機運転検知手段２２の動作をカウントする制御により冷凍サイクルの低圧側の冷媒洩れを検知するものであり、洩れ検知のための特別な部品を必要とせず低コストで冷媒漏れを検知することができる。
【００２１】
また、低圧側の可燃性冷媒の飽和圧力は大気圧よりも低く、冷凍サイクル内に空気が吸引された場合、圧縮機１の電流値の増加は顕著に現れ、冷媒洩れをすばやく検知することができる。
【００２２】
また、冷媒洩れ検知が低圧側で生じていることをマイコンの表示機能でサービスマンに知らせることも可能であり、修理時の安全確保および時間短縮を図ることができる。
【００２３】
また、カウンタ２３により所定回数を検知した時に冷媒漏れ検知と判断することにより、誤検知（一時的な高負荷状態など）を防止することができる。
【００２４】
（実施の形態２）
図２は本発明の実施の形態２による冷蔵庫の冷媒漏れ検知のフローチャートである。
【００２５】
２４は温度判定手段であり、庫内温度センサ６で検知した貯蔵室内の温度と、除霜時の制御に用いる蒸発器温度センサ１４ａで検知した蒸発器の温度を所定の温度（Ｔｆ℃、Ｔｅ℃）以上であるかどうかを判定するものである。２５は圧縮機運転時間検知手段であり、圧縮機１が所定の時間連続で運転していることを検知するものである。２６はカウンタであり、圧縮機運転時間検知手段２５からの信号をカウントし、カウント値が所定の回数Ｚになったときに冷媒漏れ検知と判断する。
【００２６】
次に、その動作について説明する。高圧側の冷媒配管、たとえば凝縮器が破損した場合、高圧側の可燃性冷媒の飽和圧力は大気圧よりも高いので、冷凍サイクル内から冷媒が空気中に放出される。冷凍サイクル内の冷媒量が減少すると蒸発器４に供給される冷媒が少なくなるので、蒸発器４の温度が上昇するとともに貯蔵室内の温度も上昇する。これを庫内温度センサ６と蒸発器温度センサ１４ａが検知する。貯蔵室内の温度は所定の温度以下に下がらないので圧縮機１は運転を停止せず連続で運転を続ける。ここで圧縮機運転時間検知手段２５が圧縮機１が所定の時間以上運転していることを確認したら、カウンタ２６がカウントを行う。このあと、回路は温度判定手段２４に戻り、再び貯蔵室内温度と蒸発器温度の判定を行う。この動作を所定の回数繰り返しカウンタ２６が所定の回数Ｚをカウントすると冷媒漏れ検知と判断する。
【００２７】
以上のように本実施の形態の冷蔵庫は、庫内温度センサ６および除霜時の制御に用いる蒸発器温度センサ１４ａを用いて、高圧側の冷媒配管からの冷媒漏れを検知するものであり、洩れ検知のための特別な部品を必要とせず低コストで冷媒漏れを検知することができる。
【００２８】
また、冷媒洩れ検知が高圧側で生じていることをマイコンの表示機能でサービスマンに知らせることも可能であり、修理時の安全確保および時間短縮を図ることができる。
【００２９】
また、カウンタ２６により所定回数を検知した時に冷媒漏れ検知と判断することにより、誤検知（一時的な高負荷状態など）を防止することができる。
【００３０】
（実施の形態３）
本実施の形態の冷蔵庫において、庫内ファン７は、貯蔵室内の空気を循環させ蒸発器４で空気を熱交換させて冷却し貯蔵室内を冷却するものである。機械室ファン（図示せず）は、圧縮機１または凝縮器２の近傍に配設されており、圧縮機１または凝縮器２を空気で冷却するものである。
【００３１】
上記構成において、実施の形態１または２で説明したような冷媒漏れ検知手段により冷媒漏れと判断した場合、庫内ファン７と機械室ファンを外気温度や庫内温度によらず連続運転させる。庫内ファン７および機械室ファンの運転により、貯蔵室内および圧縮機１近傍または凝縮器２近傍の空気が攪拌され、冷凍サイクルから漏れた冷媒も拡散するので、冷媒濃度は低く保たれ可燃濃度域を形成しない。
【００３２】
したがって、冷凍サイクルから冷媒漏れが発生しても、庫内ファン７と機械室ファンの運転により冷媒を拡散するので、不安全な状態にならない。
【００３３】
本実施の形態においては、冷媒漏れ検知手段により冷媒漏れと判断したあと各ファンを作動させると説明したが、実施の形態１または２のように所定の回数カウントを行う場合は、最初の１回目のカウント時に各ファンを連続運転させると、冷媒漏れの早期段階から安全を確保することができる。
【００３４】
また、庫内ファン７と機械室ファンの連続運転は、実施の形態１または２のように冷媒漏れの箇所が高低圧のどちらかと判断できる場合は、個別に運転させてもよい。
【００３５】
（実施の形態４）
従来の技術では、冷媒漏れ検知手段により冷媒漏れが確定した場合、圧縮機１の運転を停止して、冷凍サイクルからの冷媒の漏洩量を少なくする方法が用いられるが、実施の形態１または２で説明したような冷媒漏れ検知手段により冷媒漏れと判断した場合、本実施の形態では、圧縮機１の運転を継続させるものである。
【００３６】
以上のように本実施の形態の冷蔵庫は、冷媒漏れ検知手段により冷媒漏れを検知しても圧縮機１の運転を継続するので、万が一冷媒漏れが誤検知の場合でも冷蔵庫の冷却を維持でき、使用者に不具合が生じない。
【００３７】
（実施の形態５）
本実施の形態の冷蔵庫において、圧縮機１の停止時に冷凍サイクルの高低圧を冷媒カットして消費電力量の低減を図ったり、複数の蒸発器を配設する場合に冷媒流路の切換を行うため等に、冷凍サイクルに冷媒流路切換手段（図示せず）を用いている。この冷媒流路切換手段が誤動作あるいはロックして、冷媒流路を閉塞する状態で停止してしまうと、冷媒漏れ時と同様な冷凍サイクルの挙動を示すことがあり、冷媒漏れを誤検知してしまう。この誤検知を防止するため。実施の形態１または２のような冷媒漏れ検知制御にあわせ、カウンタ２３、２６がカウントを行ったあとに、冷媒流路切換手段の初期化制御を行い、冷媒流路切換手段を強制的に開閉動作をさせる。
【００３８】
以上のように本実施の形態の冷蔵庫は、冷媒漏れを判定中に強制的に冷媒流路切換手段を動作させるので、冷媒流路切換手段の誤動作による、冷媒漏れの誤検知を防止することができ、冷媒漏れ検知制御の検知精度を向上することができる。
【００３９】
（実施の形態６）
図３は本発明の実施の形態６による機械室ファン制御のタイムチャートである。
【００４０】
機械室ファンは、主に凝縮器２の凝縮能力の確保と圧縮機１の耐久信頼性を確保するため温度上昇抑制を目的に装備・制御される。一般的な機械室ファンの制御仕様としては、外気温センサ（図示せず）の検知温度が所定の温度以上であれば、前述した目的のため圧縮機１と同期する運転制御を行い、所定の温度以下になると、凝縮器２の過凝縮による液封を防止するため、機械室ファンを停止する。つまり、外気温が所定の温度以下になると機械室ファンは全く運転を行わず、圧縮機１および凝縮器２の近傍は自然対流のみの空気の流れとなる。この時に冷媒漏れが発生すると、冷媒漏れを検知するまで機械室ファンは動作しないため、破損した冷媒配管の近傍で、高濃度の冷媒域が発生し不安全な状態になる可能性が生じる。しかし、本実施の形態の冷蔵庫は、外気温が所定の温度以下になった場合は、圧縮機１が停止しているときに機械室ファンを定期的に所定時間動作させる制御を行なうものである。
【００４１】
したがって、本実施の形態の冷蔵庫は、外気温度が低い時においても機械室ファンを定期的に動作させるので、機械室近傍で冷媒漏れが発生した場合に冷媒が高濃度になることを抑制することができる。
【００４２】
【発明の効果】
以上説明したように請求項１に記載の発明は、圧縮機、凝縮器、減圧装置、蒸発器を順次接続してなる冷凍サイクルを有し、前記冷凍サイクルに可燃性冷媒を封入する冷蔵庫において、前記圧縮機に通電される電流値を検知する電流値検知手段と前記電流値検知手段がある所定の電流値を超えたことを検知した場合に前記圧縮機を停止させる圧縮機保護制御手段と前記圧縮機の運転状態を検知する圧縮機運転検知手段を備え、前記圧縮機への過電流印加による保護停止と停止解除後の運転を所定の回数繰り返した場合に、前記冷凍サイクルの冷媒漏れと判断する制御手段を有するものであり、冷凍サイクルの低圧配管側からの冷媒漏れを正しく、すばやく判断することができる。また、洩れ検知のための特別な部品を必要とせず低コストで冷媒漏れを検知することができる。また、冷媒洩れ検知が低圧側で生じていることをマイコンの表示機能でサービスマンに知らせることも可能であり、修理時の安全確保および時間短縮を図ることができる。
【００４３】
また、請求項２に記載の発明は、圧縮機、凝縮器、減圧装置、蒸発器を順次接続してなる冷凍サイクルを有し、前記冷凍サイクルに可燃性冷媒を封入する冷蔵庫において、冷蔵庫の貯蔵室内温度を検知する庫内温度センサと蒸発器の温度を検知する蒸発器温度センサとを備え、前記庫内温度センサと前記蒸発器温度センサの検知した温度が所定の温度より高く、圧縮機運転検知手段が所定の時間以上連続で運転することを所定の回数繰り返した場合に、前記冷凍サイクルの冷媒漏れと判断する制御手段を有するものであり、冷凍サイクルの高圧配管側から冷媒漏れを正しく判断することができる。また、洩れ検知のための特別な部品を必要とせず低コストで冷媒漏れを検知することができる。また、冷媒洩れ検知が高圧側で生じていることをマイコンの表示機能でサービスマンに知らせることも可能であり、修理時の安全確保および時間短縮を図ることができる。
【００４４】
また、請求項３に記載の発明は、請求項１または請求項２に記載の発明において、貯蔵室内の空気を循環させる庫内ファンと凝縮器および圧縮機を冷却する機械室ファンとを備え、冷媒漏れを検知した場合に前記庫内ファンと前記機械室ファンを連続運転させるものであり、漏れた冷媒を拡散させることで不安全な状態にならない。
【００４５】
請求項４に記載の発明は、請求項３に記載の発明において、冷媒漏れを検知した場合に圧縮機の運転を継続するものであり、万が一冷媒漏れが誤検知の場合でも冷蔵庫の冷却を維持でき、使用者に不具合が生じない。
【００４６】
請求項５に記載の発明は、請求項１から請求項４のいずれか一項に記載の発明において、冷凍サイクルに冷媒流路制御手段を有する冷蔵庫において、冷媒漏れを判断する制御手段が動作中に、前記冷媒流路制御手段の初期化制御を行うものであり、冷媒流路制御手段の動作制御の不具合による冷凍サイクル冷媒漏れ検知の誤動作を防止することができ、冷媒漏れ検知制御の検知精度を向上することができる。
【００４７】
請求項６に記載の発明は、請求項１から請求項５のいずれか一項に記載の発明において、機械室ファンおよび外気温度センサを備え、外気温が所定の温度以下の場合、前記機械室ファンを圧縮機の停止中に所定時間運転させるものであり、低外気温時、機械室近傍で冷媒漏れが発生した場合に冷媒が高濃度になることを抑制することができる。
【図面の簡単な説明】
【図１】本発明による冷蔵庫の実施の形態１の冷媒漏れ検知のフローチャート
【図２】本発明による冷蔵庫の実施の形態２の冷媒漏れ検知のフローチャート
【図３】本発明による冷蔵庫の実施の形態６の機械室ファン制御タイムチャート
【図４】従来の冷蔵庫の冷凍サイクルの概略構成図
【図５】従来の冷蔵庫の基本電気回路図
【図６】従来の冷蔵庫の蒸発器の斜視図
【図７】従来の冷蔵庫の冷媒漏れ検知制御のフローチャート
【符号の説明】
１　　圧縮機
２　　凝縮器
３　　減圧装置
４　　蒸発器
６　　庫内温度センサ
７　　庫内ファン
１４ａ　蒸発器温度センサ
２０　電流検知手段
２１　圧縮機保護制御手段
２２　圧縮機運転検知手段
２３，２６　カウンタ
２４　温度判定手段
２５　圧縮機運転時間検知手段
【図１】
2004125215.tif 000003
【図２】
2004125215.tif 000004
【図３】
2004125215.tif 000005
【図４】
2004125215.tif 000006
【図５】
2004125215.tif 000007
【図６】
2004125215.tif 000008
【図７】
2004125215.tif 000009